(57)【要約】      （修正有）【課題】簡便に取り付けることができるレーザー墨出し器用のホルダーを提案する。【解決手段】レーザー墨出し器Ｋを梁や支柱等の柱部材に係止、固定するホルダーにおいて、柱部材を挟持する溝型断面になるクランプ１と、レーザー墨出し器Ｋを保持するとともに該クランプ１の本体基部の背面に回転可能に連結するベース部材２にて構成する。クランプ１はスライドする一対のアングル１ａ，１ｂと連結部材１ｃで構成去れ，ベース部材２はクランプ１の背面に片持ち支持されるアングル２ａとレーザ墨出し器Ｋを固定する締結部材２ｂから構成される。【選択図】図１
2004347518.tif 000002
【特許請求の範囲】
【請求項１】
レーザー墨出し器を梁や支柱等の柱部材に係止、固定するホルダーであって、
柱部材を挟持する溝型断面になるクランプと、レーザー墨出し器を保持するとともに該クランプの本体基部の背面に回転可能に連結するベース部材からなることを特徴とするレーザー墨出し器のホルダー。
【請求項２】
クランプが、各一辺を重ね合わせその重ね合わせ部位を本体基部としてその少なくとも一方をスライドさせて挟持幅の変更を行う一対のアングルと、各アングル及びベース部材を相互に連結する連結部材からなる請求項１記載のレーザー墨出し器のホルダー。
【請求項３】
連結部材が、回転用のノブを有しアングル及びベース部材を貫くボルトと、このボルトの先端に係合し該ボルトの締め込みにてアングル及びベース部材を回転用のノブの相互間で強固に密着、固定させるナットと、アングルの重ね合わせ部位の間に配置され該アングルを離間させる向きの力を生じさせる弾性部材からなる請求項２記載のレーザー墨出し器のホルダー。
【請求項４】
アングルは本体基部の重ね合わせ面にそれぞれ、その幅方向に沿って間隔をあけて設けられた複数の凹部と、この凹部の少なくとも一つに係合して挟持幅を維持する凸部を有し、該凹部及び凸部はその角部がそれぞれ鋭角になる請求項２または３記載のレーザー墨出し器のホルダー。
【請求項５】
ベース部材が、クランプの本体基部背面にて片持ち支持されるアングルと、該アングルに設置されレーザー墨出し器を該アングルに固定保持する締結部材からなる、請求項１〜４の何れかに記載のレーザー墨出し器のホルダー。
【請求項６】
締結部材が、レーザー墨出し器に係合する固定ボルトと、この固定ボルトの外側に空転可能に抜け止め保持されるとともにベース部材のアングルに貫通状態で係合する中空ボルトと、ベース部材のアングルに回転可能に配置されその回転にて該中空ボルトを固定ボルトとともに上下に移動させてレーザー墨出し器のレベル調整を行う回転体からなる請求項５に記載のレーザー墨出し器のホルダー。
【発明の詳細な説明】
【０００１】
【発明の属する技術分野】
本発明は、土木、建築の分野において垂直、水平等の墨出しを行う際に使用されるレーザー墨出し器を固定するのに好適なホルダーに関するものであり、場所の如何にかかわりなくレーザー墨出し器を安定的に設置しようとするものである。
【０００２】
【従来の技術】
レーザー墨出し器は、普通、三脚の頂点基部に取り付けられた構造のものが一般的であり、その使用に際しては三脚を床面に安定的に設置させた状態で垂直、水平等の墨出しを行うようにしている。
【０００３】
ところで、三脚を用いる墨出し器は、床面が雑然としている場所では安定性を確保するのが難しいため正確な墨出しを行うのが困難な場合があり、とくに、室内の天井域で行う高所の墨出し作業においては、三脚の頂点基部を墨出し器とともに昇降移動させる必要があることから三脚の起立姿勢のより一層の安定性が求められていた。
【０００４】
三脚を用いた墨出し器に対する従来の問題に対処したものとしては、墨出し器を固定保持した基部にクランプを設け、このクランプを介して支柱や梁等の柱部材に墨出し器を固定保持する構造のものが知られている（例えば特許文献１、特許文献２参照）。
【０００５】
【特許文献１】
特開２００１−２７２２２９号
【０００６】
【特許文献２】
実用新案登録第２５９８１９１号明細書
【０００７】
しかしながら、クランプ形式の墨出し器は、墨出し器を保持する基台とクランプは一体に連結された構造になっており、基台を柱部材に固定するにはクランプに設置されたスクリューロッドを締め込むことによって行うが、墨出し器の固定位置の近くに障害物があると、スクリューロッドの締め込み操作ができない場合があった。
【０００８】
また、墨出し器から射出されるレーザービームの向きはクランプを基準とした場合に常に一定であることから基台の設置場所は極めて限定的になり、しかも、墨出し器は一旦柱部材に固定してしまうと動かすことができないため、設置位置の微調整を行うには最初に大まかな位置合わせをしたのち、巻尺等を使って所定の位置までどのくらい移動させるか計測して位置調整をする必要があり墨出し器の取り付け操作が煩雑であった。
【０００９】
さらには、太い柱部材にも設置できるようにするためには、クランプの幅寸法も大きくしなければならずこれに伴ってクランプを大型化せざるを得ない。
【００１０】
【発明が解決しようとする課題】
本発明の課題は、上述したようなクランプ形式のレーザー墨出し器において生じていた従来の問題を解消できる新規なホルダーを提案するところにある。
【００１１】
【課題を解決するための手段】
本発明は、レーザー墨出し器を梁や支柱等の柱部材に係止、固定するホルダーであって、
柱部材を挟持する溝型断面になるクランプと、レーザー墨出し器を保持するとともに該クランプの本体基部の背面に回転可能に連結するベース部材からなることを特徴とするレーザー墨出し器のホルダーである。
【００１２】
上記の構成になるホルダーにおいて、クランプは、各一辺を重ね合わせその重ね合わせ部位を本体基部としその何れか一方をスライドさせて挟持幅の変更を行う一対のアングルと、各アングル及びベース部材を相互に連結する連結部材とにて構成するのが好ましい。
【００１３】
また、連結部材は、回転用のノブを有しアングル及びベース部材を貫くボルトと、このボルトの先端に係合し該ボルトの締め込みにてアングル及びベースを回転用のノブの相互間で強固に密着、固定させるナットと、アングルの重ね合わせ部位の間に配置され該アングルを離間させる向きの力を生じさせる弾性部材からなるものがとくに有利に適合する。
【００１４】
アングルは本体基部の重ね合わせ面にそれぞれ、その幅方向に沿って間隔をあけて設けられた角部が鋭角になる複数の凹部と、これらの凹部の少なくとも一つに係合して挟持幅を維持するやはり角部が鋭角になる凸部を有するものが好ましい。
【００１５】
また、ベース部材については、クランプ本体の基部背面にて片持ち支持されるアングルと、該アングルに設置されレーザー墨出し器を該アングルに固定保持する締結部材からなるものとする。
【００１６】
締結部材は、レーザー墨出し器に係合するねじ部を有する固定ボルトと、この固定ボルトの外側に空転可能に抜け止め保持されるとともにベース部材のアングルに貫通状態で係合する中空ボルトと、ベース部材のアングルに回転可能に配置されその回転にて該中空ボルトを固定ボルトとともに上下に移動させてレーザー墨出し器のレベル調整を行う回転体にて構成するのがよい。
【００１７】
【発明の実施の形態】
以下、図面を用いて本発明をより具体的に説明する。
【００１８】
図１〜４は本発明に従うレーザー墨出し器のホルダーの実施の形態を示した図であり、図１はホルダーの外観斜視図、図２は平面図（断面で表示）、図３は側面図、そして、図４はレーザー墨出し器を装着した状態の外観斜視図である。
【００１９】
図において１は柱部材を挟持する溝型断面になるクランプである。クランプ１は各一辺を重ね合わせその重ね合わせ部位を本体基部としてその少なくとも一方をスライドさせることで挟持幅Ｗの変更を行うアングル１ａ、１ｂと、各アングル１ａ、１ｂを相互に連結する連結部材１ｃと、クランプ１を柱部材に固定するためのスクリューロッド１ｄからなる。
【００２０】
また、２はレーザー墨出し器Ｋを保持するとともに該クランプ１の本体基部の背面に回転可能に連結するベース部材である。このベース部材２はクランプ１の本体基部の背面にて連結部材１ｃを介して片持ち支持されるアングル２ａと、該アングル２ａに設置されレーザー墨出し器Ｋを該アングル２ａに固定保持する締結部材２ｂからなる。
【００２１】
上記の連結部材１ｃはその詳細を図２に示す如く、回転用のノブを有しアングル１ａ、１ｂ及びベース部材２を貫くボルト１ｃ１と、このボルト１ｃ１の先端に係合しその締め込みにてアングル１ａ、１ｂ及びベース部材２を回転用のノブとの相互間で強固に密着、固定させるナット１ｃ２と、アングル１ａ、１ｂの重ね合わせ部位の間に配置され該アングル１ａ、１ｂを相互に離間させる向きの力を生じさせる弾性部材（波座金等）１ｃ３とにて構成され、締結部材２ｂについては同じく図２に示すようにレーザー墨出し器に係合するねじ部を有する固定ボルト２ｂ１と、この固定ボルト２ｂ１の外側に空転可能に抜け止め保持されるとともにベース部材２のアングル２ａに貫通状態で係合する中空ボルト２ｂ２と、ベース部材２のアングル２ａに回転可能に配置され該中空ボルト２ｂ２を固定ボルト２ｂ１とともに上下に移動させてレーザー墨出し器のレベル調整を行う回転体２ｂ３にて構成される。
【００２２】
また、３はクランプ１の本体基部の重ね合わせ面にその幅方向に沿って間隔をあけて設けられた複数の凹部、４は凹部３の少なくとも一つに係合して挟持幅Ｗを維持する凸部であり、これら凹部３、凸部４はそれぞれスクリューロッド１ｄによる締め込みに際して強固に引っ掛かるようその角部３ａ、４ａが鋭角になっている。
【００２３】
クランプ１を構成するアングル１ａ、１ｂは図５、図６に示すようにその少なくとも一方をスライドさせることで挟持幅Ｗを変更することができるものであり、取り付けるべき柱部材とほぼ同じ幅寸法に設定して該柱部材に適合させるとともにノブの回転にてスクリューロッド１ｄを締め込むことで固定される。
【００２４】
ベース部材２を構成するアングル２ａは連結部材１ｃを緩めて図７、図８に示す如くクランプ１の本体基部の背面で回転させることで、墨出し器Ｋのクランプ１に対する取り付け位置の変更を可能とするものであり、障害物を迂回して適切な位置に配置することができる（アングル２ａを１８０°回転させることで右側あるいは左側に障害物があってもそれを迂回して取り付けが可能であり、９０°回転させることで垂直に立っている柱以外に水平に延びる梁等にも取り付けられる）。
【００２５】
連結部材１ｃの構成部材としてアングル１ａ、１ｂの重ね合わせ部位の間に該アングル１ａ、１ｂを相互に離間させる向きの力を生じさせる弾性部材１ｃ３を配置することで、連結部材１ｃを緩めるべくボルト１ｃ１とナット１ｃ２との係合を解除した場合においてもナット１ｃ２がクランプ１側に飛び出すことはなく、また、ボルト１ｃ１が空回りすることもない。ボルト１ｃ１とナット１ｃ２を予め小ネジ等を用いて連結しておくことでボルト１ｃ１を緩めすぎてもナット１ｃ２が脱落することができる。
【００２６】
このような弾性部材１ｃ３は、クランプ１の挟持幅Ｗの変更に際してアングル１ａ、１ｂをスムーズにスライドさせられる利点もある。
【００２７】
また、レーザー墨出し器Ｋをベース部材２のアングル２ａに固定保持する締結部材２ｂについては、回転体２ｂ３を時計周りあるいは反時計周りに回転させることで中空ボルト２ｂ２を固定ボルト２ｂ１とともに上下に移動させることができるもので、ベース部材２のアングル２ａに固定保持されたレーザー墨出し器Ｋのレベル調整が簡単に行えレーザーラインを狙った位置にぴったりと合わせることが可能になる。
【００２８】
とくに、このようなレベル調整機構を備えることで、墨出し器Ｋをまずクランプ１で大まかな位置に固定したのち、回転体２ｂ３を回転させて上下のレベルを微調整すればよく、墨出し器の取り付けが簡単に行える。しかも、例えば何ミリ下がり（または上がり）と巻尺等で寸法を読み取る際にミリ単位ではなく、センチ単位とするなど単純な数字に設定することができるので数値を読み取りやすくできる。中空ボルト２ｂ２の外表面にその軸心に沿う縦溝又はリブを設けるとともにアングル２ａに該縦溝又はリブに適合するリブ又は縦溝を設けることでより中空ボルト２ｂ２を上下に移動させる際の回転を防止する。
【００２９】
クランプ１のアングル１ａ、１ｂについては、実施の形態において図示した如くその何れか一方に長孔を設けて連結部材１ｃのナット１ｃ２をガイドにしてスムーズにスライドさせることで挟持幅を変更できるが、アングル１ａ、１ｂの幅方向に沿って複数設け、各孔に適宜に連結部材１ｃを通して、挟持幅の変更を行うようにしてもよく、この点については限定されない。
【００３０】
クランプ１の本体基部を形成するアングル１ａ、１ｂの合わせ面に設けた凹部３とこの凹部３に係合する凸部４は、クランプ１を柱部材に固定する際、挟持幅が広がる向きにおいて各アングル１ａ、１ｂの凹部３と凸部４が引っ掛かるようにその角部３ａ、４ａについては鋭角することが肝要になる。
【００３１】
【発明の効果】
本発明によれば、墨出し器を固定保持するベース部材をクランプの本体基部の背面にて回転させることができるので、障害物等があってもそれを迂回させて墨出し作業に必要な位置に確実に配置できる。
【００３２】
また、墨出し器をベース部材に設置した状態で上下に移動させて微調整ができるので、取り付け作業が簡便であるだけでなく、正確な位置合わせが可能になる。
【００３３】
さらに、本発明によれば、クランプは挟持幅が可変なので、柱部材のサイズにかかわりなく取り付けが可能であり、クランプを固定するスクリューロッドが短くてすみ締め込み時の作業を軽減することができるし、柱部材のサイズに合わせてホルダーを複数台用意する必要がないだけでなく、クランプの挟持幅を最も狭くすることでコンパクトな状態で収納することが可能となり取り扱いも容易である。
【図面の簡単な説明】
【図１】本発明に従うホルダーの外観斜視図である。
【図２】図１に示したホルダーの平面を断面で示した図である。
【図３】図１に示したホルダーの側面図である。
【図４】レーザー墨出し器を装着した状態の外観斜視図である。
【図５】クランプの挟持幅の変更要領の説明図である。
【図６】クランプの挟持幅の変更要領の説明図である。
【図７】墨出し器の取り付け位置の変更要領の説明図である。
【図８】墨出し器の取り付け位置の変更要領の説明図である。
【符号の説明】
１  クランプ
１ａ  アングル
１ｂ  アングル
１ｃ  連結部材
１ｄ  スクリューロッド
２  ベース部材
２ａ  アングル
２ｂ  締結部材
３  凹部
３ａ  角部
４  凸部
４ａ  角部
【図１】
2004347518.tif 000003
【図２】
2004347518.tif 000004
【図３】
2004347518.tif 000005
【図４】
2004347518.tif 000006
【図５】
2004347518.tif 000007
【図６】
2004347518.tif 000008
【図７】
2004347518.tif 000009
【図８】
2004347518.tif 000010